(57)【特許請求の範囲】
【請求項１】
オーディオ信号を増幅してスピーカに出力するオーディオ出力増幅部と、
該オーディオ出力増幅部に供給されるオーディオ信号に対し、音響効果を付加するための少なくとも周波数帯毎のレベル調整及び信号遅延時間の調整をデジタル的に行うオーディオ出力デジタル処理部と、
オーディオソースからのオーディオ信号を選択的に切り替えて前記オーディオ出力デジタル処理部又は前記オーディオ出力増幅部に接続する切替接続部と、
前記オーディオ出力デジタル処理部及び切替接続部を制御する制御部と、
前記オーディオ出力増幅部の近傍に配設された温度センサとを備え、
前記制御部は、前記オーディオ出力デジタル処理部に対し、前記温度センサによる検出温度の上昇に伴い前記音響効果を徐々に低減させるデジタル調整を行うよう制御し、前記検出温度が所定の上限温度に達した時点で前記音響効果がゼロとなるようなデジタル調整を行うよう制御すると共に、前記切替接続部に対し、前記検出温度が前記所定の上限温度を超えたときに前記オーディオソースからのオーディオ信号の前記オーディオ出力増幅部への接続を行うよう制御することを特徴とするオーディオ装置。
【請求項２】
前記制御部は、前記オーディオ出力デジタル処理部に対し、前記検出温度が前記所定の上限温度よりも低い所定の設定温度を超えたときに前記音響効果を低減させるデジタル調整を開始するよう制御することを特徴とする請求項１に記載のオーディオ装置。
【請求項３】
前記制御部は、前記所定の上限温度をいったん超えた前記検出温度が低下して該上限温度を下回ったときに、前記切替接続部に対し、前記オーディオソースからのオーディオ信号の前記オーディオ出力デジタル処理部への接続を行うよう制御すると共に、該オーディオ出力デジタル処理部に対し、前記音響効果を増大させるデジタル調整を開始するよう制御することを特徴とする請求項１に記載のオーディオ装置。
【請求項４】
前記オーディオ出力デジタル処理部は、デジタル信号プロセッサにより構成されることを特徴とする請求項１に記載のオーディオ装置。
【請求項５】
前記デジタル信号プロセッサは、
前記切替接続部を介して入力されたオーディオ信号のレベルを規定のレベルに調整して出力する電子ボリュームと、
該電子ボリュームを通してレベル調整されたオーディオ信号の周波数帯毎のレベルを、前記制御部により固有に設定されるフィルタ係数に応じて調整するイコライザ部と、
該イコライザ部から出力された信号を前記制御部からの制御に基づいて所定の時間だけ遅延させる信号遅延部とを有することを特徴とする請求項４に記載のオーディオ装置。
【請求項６】
車両に搭載されていることを特徴とする請求項１から５のいずれか一項に記載のオーディオ装置。
【発明の詳細な説明】
【０００１】
【発明の属する技術分野】
本発明は、音響効果を付加する機能を備えたオーディオ装置に関し、特に、耐熱性の比較的低いデジタル信号プロセッサ（ＤＳＰ）等のデジタルデバイスにより音響効果を付加する場合に、該デジタルデバイスの温度上昇による熱暴走に起因して生じる不都合を解消するのに適応されたオーディオ装置（例えば、車載用オーディオ装置）に関する。
【０００２】
【従来の技術】
近年、車載用オーディオ装置は高性能化及び多機能化が要求されている。これに伴い、再生帯域が異なる複数のスピーカを組み合わせた２ウェイ、３ウェイ等のマルチスピーカシステムや、重低音再生専用のサブ・ウーファを備えたスピーカシステムが用いられるようになってきている。そして、このようなスピーカシステムによって作り出される音響効果を最大限に活かすために、従来より、ハイパスフィルタ、バンドパスフィルタ、パラメトリックイコライザ等（以下、これらを単に「フィルタ」ともいう。）が使用されている。このようなフィルタは一般に回路規模が大きく、従来、車載用オーディオ装置のヘッドユニットに内蔵することは困難であるとされていた。
【０００３】
しかし、最近のデジタル信号プロセッサ（ＤＳＰ）の普及により、これらのフィルタをＤＳＰ内に構成し、そのフィルタ係数をソフトウェアで設定することが可能になり、車載用オーディオ装置のヘッドユニットにもこれらのフィルタが搭載されるようになってきている。
【０００４】
一方、車載用オーディオ装置には、スピーカに供給されるオーディオ信号を増幅するアンプ等の部品が内蔵されている。そして、ＤＳＰ等により音響効果が付加されたオーディオ信号が、アンプ等の部品を含むアナログ系のオーディオ回路に供給されるようになっている。アンプ等の部品は、ＤＳＰやマイクロコンピュータ等のデジタルデバイスと比べると、その動作時の電力消費が大きいので、それに応じて発熱量も多くなるのが一般的である。
【０００５】
このため、オーディオ装置内部の温度上昇に関しては、ＤＳＰ等のデジタルデバイスを含むヘッドユニットを上回る発熱量となり、部品等の温度保証上限（例えば、８５℃）を超えることが想定される。この場合、アンプ等の部品と比べて発熱量の少ない（つまり、耐熱性の低い）ＤＳＰやマイクロコンピュータ等のデジタルデバイスが、熱暴走してしまう可能性がある。
【０００６】
デジタルデバイスが熱暴走を起こすとその動作が読めないため、例えば、当該デバイスが動作不定状態となった場合には、当該デバイスの動作もしくはその出力の影響を受ける後段のオーディオ回路の動作も不定状態となり得る可能性がある。その結果、場合によってはスピーカから大音量の音声が出力されることも想定され、この場合にはユーザに不快感を与えるといった不都合が生じる。また、当該デバイス自体が損傷する可能性もある。
【０００７】
一方、当該デバイスが動作不能状態となった場合には、それまで出力されていた音響効果が急激にゼロ（０）となるため、ユーザにとっては聴感上の違和感を覚えるといった不都合が生じる。そして、この場合も同様に、当該デバイス自体が損傷する可能性がある。
【０００８】
このような熱暴走に起因して生じる不都合に対処するため、従来の技術では、音響効果を付加するＤＳＰ等のデジタルデバイスの動作中の温度が規定の上限温度を超えたときに、当該デバイスの動作を停止させる、いわゆる「シャットダウン制御」を行っている。
【０００９】
【発明が解決しようとする課題】
上述したように従来の技術では、デジタル系（ＤＳＰ、マイクロコンピュータ等）が熱暴走するのを防止するための方法として「シャットダウン制御」を行っているが、この方法では、デジタル系がアナログ系のオーディオ回路から動作的に切り離された状態となるため、シャットダウン制御を行う直前まで聴くことができたオーディオ信号に係る音声を、そのまま継続して聴くことができないといった不都合があった。
【００１０】
かかる不都合を解消するためには、例えば、デジタル系のシャットダウン制御を行う際に、それまでデジタル系に入力されていたオーディオ信号をアナログ系のオーディオ回路に切り替え接続することが考えられる。
【００１１】
しかしこの方法では、シャットダウン制御を行う直前までは規定レベルの音響効果が付加されたオーディオ信号（音声）が聴こえていたものが、シャットダウン制御を行った後は音響効果がゼロ（０）のオーディオ信号（音声）が聴こえるため、かかる音響効果の急激な変化により、ユーザに聴感上の違和感もしくは不快感を与えるといった問題がある。
【００１２】
本発明は、かかる従来技術における課題に鑑み創作されたもので、ユーザに聴感上の違和感もしくは不快感を与えることなくオーディオ信号（音声）を継続して受聴できるようにすると共に、音響効果を付加するＤＳＰ等のデジタルデバイスが熱暴走するのを防止することができるオーディオ装置を提供することを目的とする。
【００１３】
【課題を解決するための手段】
上述した従来技術の課題を解決するため、本発明に係るオーディオ装置は、オーディオ信号を増幅してスピーカに出力するオーディオ出力増幅部と、該オーディオ出力増幅部に供給されるオーディオ信号に対し、音響効果を付加するための少なくとも周波数帯毎のレベル調整及び信号遅延時間の調整をデジタル的に行うオーディオ出力デジタル処理部と、オーディオソースからのオーディオ信号を選択的に切り替えて前記オーディオ出力デジタル処理部又は前記オーディオ出力増幅部に接続する切替接続部と、前記オーディオ出力デジタル処理部及び切替接続部を制御する制御部と、前記オーディオ出力増幅部の近傍に配設された温度センサとを備え、前記制御部は、前記オーディオ出力デジタル処理部に対し、前記温度センサによる検出温度の上昇に伴い前記音響効果を徐々に低減させるデジタル調整を行うよう制御し、前記検出温度が所定の上限温度に達した時点で前記音響効果がゼロとなるようなデジタル調整を行うよう制御すると共に、前記切替接続部に対し、前記検出温度が前記所定の上限温度を超えたときに前記オーディオソースからのオーディオ信号の前記オーディオ出力増幅部への接続を行うよう制御することを特徴とする。
【００１４】
本発明に係るオーディオ装置によれば、制御部からの制御の下にオーディオ出力デジタル処理部が、オーディオ信号に対し、検出温度の上昇に伴い音響効果を徐々に低減させるデジタル調整を行い、その検出温度が所定の上限温度に達した時点でその音響効果がゼロとなるようにデジタル調整を行う一方で、制御部からの制御の下に切替接続部により、その検出温度がその所定の上限温度を超えたときにオーディオソースからのオーディオ信号がオーディオ出力増幅部へ切り替え接続されるようになっている。
【００１５】
すなわち、オーディオ信号のオーディオ出力デジタル処理部（デジタル系）からオーディオ出力増幅部（アナログ系）への切り替え接続は、当該オーディオ信号に付加される音響効果がゼロとなった時点以降に行われるので、切り替え接続を行う直前と行った直後とで音響効果の変化は無くなる。これによって、ユーザに聴感上の違和感もしくは不快感を全く与えることなく、当該オーディオ信号（音声）の継続的な受聴が可能となる。
【００１６】
また、検出温度が所定の上限温度を超えたときに、制御部からの制御の下に切替接続部により、オーディオ信号がオーディオ出力デジタル処理部からオーディオ出力増幅部に切り替え接続されるので、オーディオ出力デジタル処理部はその動作を停止する。これによって、オーディオ出力デジタル処理部（デジタル系）が熱暴走するのを防止することができ、ひいては動作不定（もしくは動作不能）状態を回避することができる。
【００１９】
【発明の実施の形態】
以下、本発明の実施の形態について、添付の図面を参照しながら説明する。
【００２０】
図１は本発明の一実施形態に係るオーディオ装置の概略構成をブロック図の形態で示したものである。本実施形態は、本発明を車載用オーディオ装置のヘッドユニットに適用した例を示している。
【００２１】
本実施形態に係るオーディオ装置１０は、基本構成として、スピーカ１１と、オーディオ出力増幅部１２と、スイッチ１３と、デジタル信号プロセッサ（ＤＳＰ）１５と、温度センサ１７と、マイクロコンピュータ２０とを備えている。説明の簡単化のため特に図示はしていないが、スピーカ１１は実際には複数個設けられており、例えば、車両のフロント側の左右に設けられたフロント席用の各スピーカと、リヤ側の左右に設けられたリヤ席用の各スピーカと、更にリヤ席の近傍に設けられた重低音再生用のスピーカ（サブ・ウーファ）とを備えている。
【００２２】
オーディオ出力増幅部１２は、基本的には、ＤＳＰ１５を介して入力されたアナログのオーディオ信号、又はＤＳＰ１５をバイパスして直接入力されたアナログのオーディオ信号ＡＤを増幅してスピーカ１１に供給する機能を有している。このオーディオ出力増幅部１２は、特に図示はしていないが、スピーカ１１の配置形態（設置個数）に応じて、各々のスピーカに供給されるべきオーディオ信号の出力増幅をそれぞれ行う電界効果トランジスタ（ＦＥＴ）、当該ＦＥＴを駆動する複数のドライバ、低域通過フィルタ等を有している。
【００２３】
スイッチ１３は、マイクロコンピュータ２０から供給される制御信号ＣＳ１に応答して切替動作を行い、オーディオソースから出力されたアナログのオーディオ信号ＡＤを選択的にオーディオ出力増幅部１２又はＤＳＰ１５側に切り替え接続する。スイッチ１３によりＤＳＰ１５側に接続されたオーディオ信号ＡＤは、インタフェース（Ｉ／Ｆ）１４を介してデジタル化された後、ＤＳＰ１５に供給される。
【００２４】
このスイッチ１３についても、オーディオ出力増幅部１２と同様に、図示はしていないが、スピーカ１１の配置形態（設置個数）に応じた数のスイッチを有している。
【００２５】
ＤＳＰ１５は、後段のオーディオ出力増幅部１２に供給されるべきオーディオ信号に対し、音響効果を付加するための各種のデジタル調整（周波数帯毎のレベル調整、信号遅延時間の調整など）を行う機能を有している。ＤＳＰ１５は、インタフェース１４を介して入力されたデジタルのオーディオ信号のレベルを、マイクロコンピュータ２０からの制御信号ＣＳ２に基づいてそれぞれ規定のレベルに調整して出力する電子ボリューム１５ａと、この電子ボリューム１５ａから出力されたオーディオ信号の周波数帯毎のレベル（バンドレベル）を、マイクロコンピュータ２０からの制御信号ＣＳ３によりそれぞれ固有に設定されるフィルタ係数に応じて調整するイコライザ部（ＥＱ）１５ｂと、このイコライザ部１５ｂから出力された信号を、マイクロコンピュータ２０からの制御信号ＣＳ４に基づいて所定の時間だけ遅延させる信号遅延部１５ｃとを有している。なお、ＤＳＰ１５の信号遅延部１５ｃから出力されたデジタルのオーディオ信号は、インタフェース（Ｉ／Ｆ）１６を介してアナログ化された後、オーディオ出力増幅部１２に供給される。
【００２６】
このＤＳＰ１５についても、オーディオ出力増幅部１２と同様に、図示はしていないが、スピーカ１１の配置形態（設置個数）に応じた数の機能ブロック（電子ボリューム１５ａ、ＥＱ１５ｂ、信号遅延部１５ｃ）を有している。
【００２７】
このように、オーディオソースから出力されたオーディオ信号ＡＤは、後述するように所定の条件の下にスイッチ１３により切り替えられ、インタフェース１４、ＤＳＰ１５及びインタフェース１６を介してオーディオ出力増幅部１２に供給されるか、又はＤＳＰ１５等を介さずに（つまりバイパスして）直接オーディオ出力増幅部１２に供給される。
【００２８】
一方、温度センサ１７は、本装置１０を構成する各部品のうち、最も熱の発生量が多いＦＥＴ（オーディオ出力増幅部１２）の近傍に（熱結合して）配設されている。例えば、ＦＥＴがパッケージの形態でモールディングされ、ヒートシンク上に配設されている場合に、ヒートシンク上で当該部品（ＦＥＴ）の近傍に温度センサ１７を金属製のブラケットで固定支持することにより、温度センサ１７と当該部品とは互いに熱結合される。
【００２９】
温度センサ１７で検出された信号（アナログ信号）は、アンプ１８を通して、マイクロコンピュータ２０が所定のデジタル処理を行える程度に十分なレベルまで増幅された後、インタフェース（Ｉ／Ｆ）１９を介してデジタル化され、マイクロコンピュータ２０に供給される。なお、温度センサ１７の後段のアンプ１８については、温度センサ１７で検出された信号がマイクロコンピュータ２０にとって十分なレベルを有している場合には、必ずしも設ける必要はない。
【００３０】
マイクロコンピュータ２０は、予め設定されたプログラムに基づいて動作し、後述するように、温度センサ１７により検出された温度（データ）に基づいて、ＤＳＰ１５の動作（音響効果を付加するためのデジタル調整）を制御するための処理を行うと共に、スイッチ１３の切り替え動作を制御する。
【００３１】
具体的には、ＤＳＰ１５に対しては、温度センサ１７による検出温度が所定の上限温度（例えば、８４℃）よりも低い所定の設定温度（例えば、６０℃）を超えたときに、音響効果を低減させるデジタル調整を開始するよう制御し、以降、検出温度の上昇に伴い音響効果を徐々に低減させるデジタル調整を行うよう制御し、検出温度が所定の上限温度に達した時点で音響効果がゼロとなるようなデジタル調整を行うよう制御する（制御信号ＣＳ２〜ＣＳ４）。また、所定の上限温度をいったん超えた検出温度が低下して当該上限温度を下回ったときは、ＤＳＰ１５に対し、音響効果をゼロから徐々に増大させるデジタル調整を開始するよう制御する（制御信号ＣＳ２〜ＣＳ４）。
【００３２】
一方、スイッチ１３に対しては、温度センサ１７による検出温度が上限温度を超えたときに、オーディオ信号ＡＤのＤＳＰ１５側への接続を遮断し、当該オーディオ信号ＡＤのオーディオ出力増幅部１２への切り替え接続を行うよう制御する（制御信号ＣＳ１）。逆に、上限温度をいったん超えた検出温度が低下して当該上限温度を下回ったときは、スイッチ１３に対し、オーディオ信号ＡＤのオーディオ出力増幅部１２への接続を遮断し、当該オーディオ信号ＡＤのＤＳＰ１５側への切り替え接続を行うよう制御する（制御信号ＣＳ１）。
【００３３】
図２は、本実施形態のオーディオ装置１０が行う音響効果（すなわち、ＤＳＰ１５とマイクロコンピュータ２０の協働作用に基づいてオーディオ信号ＡＤに付加される音響効果）に関連する機能を一覧表にしたものである。図示の例では、音響効果の指標となる機能として、低音域（BASS KNOB ）調整、利得（GAIN）調整、低域通過（ＬＰ）周波数設定、副音声（SUB SONIC ）周波数設定、パラメトリックイコライザのレベル（PEQ LEVEL ）設定、信号遅延時間の修正（ＴＣＲ）に係る調整が含まれている。
【００３４】
図２に例示するように、例えば利得調整について見ると、検出温度の上昇（又は低下）に伴い音響効果の指標である「利得」が徐々に低減（又は増大）するようにデジタル調整が行われており、検出温度が上限温度（８４℃）に達した時点で利得がゼロとなるようにデジタル調整が行われている。
【００３５】
他の機能についても同様に、検出温度の上昇（又は低下）に伴い音響効果が徐々に低減（又は増大）するようにデジタル調整が行われており、検出温度が上限温度（８４℃）に達した時点で音響効果がゼロとなるようにデジタル調整が行われている。
【００３６】
以下、本実施形態のオーディオ装置１０においてマイクロコンピュータ２０が行うＤＳＰ１５のバイパスに係る処理（音響効果を徐々に低減させてゼロとし、デジタル系を停止する処理）について、その処理フローの一例を表した図３を参照しながら説明する。
【００３７】
初期状態としては、オーディオソースからのオーディオ信号ＡＤが、スイッチ１３からインタフェース１４、ＤＳＰ１５及びインタフェース１６を介してオーディオ出力増幅部１２に供給されているものとする。つまり、オーディオ出力増幅部１２からスピーカ１１を通して、ＤＳＰ１５により音響効果が付加されたオーディオ信号に係る音声が出力されているものとする。
【００３８】
先ずステップＳ１１では、温度センサ１７で検出された温度を指示するデータをアンプ１８及びインタフェース１９を介して取り込む。
【００３９】
次のステップＳ１２では、取り込んだ温度データに基づいて、その検出温度が所定の設定温度（例えば、６０℃）以上である（ＹＥＳ）か否（ＮＯ）かを判定する。判定結果がＹＥＳの場合にはステップＳ１３に進み、判定結果がＮＯの場合には本処理フローは「エンド」となる。
【００４０】
次のステップＳ１３では、マイクロコンピュータ２０からの制御信号ＣＳ２〜ＣＳ４により、ＤＳＰ１５を構成する各機能ブロック（電子ボリューム１５ａ、ＥＱ１５ｂ、信号遅延部１５ｃ）に対し、音響効果を付加するためのデジタル調整に係る各々の機能設定を変更するよう制御する。
【００４１】
すなわち、ＤＳＰ１５に対し、音響効果を低減させるデジタル調整を開始するよう制御し、以降、検出温度の上昇に伴い音響効果を徐々に低減させ、検出温度が所定の上限温度に達した時点で音響効果がゼロとなるようなデジタル調整を行うよう制御する。ここに、「徐々に低減させる」という意味は、図２に関連して説明したように、例えば信号遅延時間の修正（ＴＣＲ）について見ると、検出温度が１℃上昇する毎に信号遅延部１５ｃの信号遅延時間を１０ｍｓ、９ｍｓ、８ｍｓ、……、と変化させる制御形態をいう。
【００４２】
なお、本ステップで行う音響効果のデジタル調整では、所定の設定温度を超えてから以降は検出温度が上昇し続けるものとして説明したが、逆に、検出温度が低下する方向に変化する場合には、その検出温度の低下に伴い音響効果を徐々に増大させるデジタル調整を行うよう制御する。
【００４３】
次のステップＳ１４では、検出温度が所定の上限温度（例えば、８４℃）を超えた（ＹＥＳ）か否（ＮＯ）かを判定する。判定結果がＹＥＳの場合にはステップＳ１５に進み、判定結果がＮＯの場合にはステップＳ１２に戻って上記の処理を繰り返す。
【００４４】
次のステップＳ１５では、マイクロコンピュータ２０からの制御に基づいてＤＳＰ１５をスタンバイ状態とする。
【００４５】
すなわち、マイクロコンピュータ２０からの制御信号ＣＳ１により、スイッチ１３に対し、オーディオ信号ＡＤのオーディオ出力増幅部１２への切り替え接続を行うように（つまり、ＤＳＰ１５をバイパスするように）制御する。これによって、オーディオ信号ＡＤのＤＳＰ１５への接続が遮断されるので、ＤＳＰ１５は実質的にその機能を停止する（スタンバイ状態）。
【００４６】
最後のステップＳ１６では、マイクロコンピュータ２０自身がその動作を停止し、スタンバイ状態とする。
【００４７】
次に、本実施形態のオーディオ装置１０においてマイクロコンピュータ２０が行うＤＳＰ１５の接続に係る処理（デジタル系を起動して、音響効果をゼロから徐々に増大させる処理）について、その処理フローの一例を表した図４を参照しながら説明する。
【００４８】
初期状態としては、検出温度が上限温度（８４℃）を超えているものとする。つまり、マイクロコンピュータ２０と共にＤＳＰ１５がスタンバイ状態にあり、音響効果が付加されていないオーディオ信号ＡＤがスイッチ１３を介してオーディオ出力増幅部１２に供給されているものとする。
【００４９】
先ずステップＳ２１では、温度センサ１７で検出された温度を指示するデータをアンプ１８及びインタフェース１９を介して取り込む。
【００５０】
次のステップＳ２２では、取り込んだ温度データに基づいて、その検出温度が上限温度（８４℃）を下回った（ＹＥＳ）か否（ＮＯ）かを判定する。判定結果がＹＥＳの場合にはステップＳ２３に進み、判定結果がＮＯの場合には本処理フローは「エンド」となる。
【００５１】
次のステップＳ２３では、マイクロコンピュータ２０自身がスタンバイ状態を解除し、その動作を再開する。
【００５２】
次のステップＳ２４では、マイクロコンピュータ２０からの制御に基づいてＤＳＰ１５のスタンバイ状態を解除する。
【００５３】
すなわち、マイクロコンピュータ２０からの制御信号ＣＳ１により、スイッチ１３に対し、オーディオ信号ＡＤのＤＳＰ１５への切り替え接続を行うように制御する。これによって、オーディオ信号ＡＤがスイッチ１３からインタフェース１４を介してＤＳＰ１５に供給され、ＤＳＰ１５はその機能を再開する。
【００５４】
次のステップＳ２５では、マイクロコンピュータ２０からの制御信号ＣＳ２〜ＣＳ４により、ＤＳＰ１５を構成する各機能ブロック（電子ボリューム１５ａ、ＥＱ１５ｂ、信号遅延部１５ｃ）に対し、音響効果を付加するためのデジタル調整に係る各々の機能設定を変更するよう制御する。
【００５５】
すなわち、ＤＳＰ１５に対し、音響効果を増大させるデジタル調整を開始するよう制御し、以降、検出温度の低下に伴い音響効果をゼロから徐々に増大させるデジタル調整を行うように制御する。ここに、「徐々に増大させる」という意味は、図３のステップＳ１３に関連して説明した「徐々に低減させる」制御形態とは逆の制御形態をいう。
【００５６】
なお、本ステップで行う音響効果のデジタル調整では、所定の上限温度を下回ってから以降は検出温度が低下し続けるものとして説明したが、逆に、検出温度が上昇する方向に変化する場合には、その検出温度の上昇に伴い音響効果を徐々に低減させるデジタル調整を行うよう制御する。
【００５７】
最後のステップＳ２６では、検出温度が設定温度（６０℃）以上である（ＹＥＳ）か否（ＮＯ）かを判定する。判定結果がＹＥＳの場合にはステップＳ２５に戻って上記の処理を繰り返し、判定結果がＮＯの場合には本処理フローは「エンド」となる。
【００５８】
以上説明したように、本実施形態に係るオーディオ装置１０によれば、図３の処理フローに示したように、マイクロコンピュータ２０は、ＤＳＰ１５に対し、温度センサ１７による検出温度の上昇に伴い音響効果を徐々に低減させるデジタル調整を行うよう制御し、検出温度が上限温度（８４℃）に達した時点で音響効果がゼロとなるようなデジタル調整を行うよう制御すると共に、スイッチ１３に対しては、検出温度が上限温度（８４℃）を超えたときにオーディオ信号ＡＤのオーディオ出力増幅部１２への切り替え接続を行うよう制御している。
【００５９】
すなわち、オーディオ信号ＡＤのＤＳＰ１５（デジタル系）からオーディオ出力増幅部１２（アナログ系）への切り替え接続は、当該オーディオ信号ＡＤに付加される音響効果がゼロとなった時点以降に行われるので、切り替え接続を行う直前と行った直後とで音響効果の変化は無くなる。これによって、ユーザは、聴感上の違和感もしくは不快感を全く覚えることなく、当該オーディオ信号ＡＤに係る音声を継続して受聴することができる。
【００６０】
また、検出温度が上限温度（８４℃）を超えたときに、マイクロコンピュータ２０からの制御の下にスイッチ１３により、オーディオ信号ＡＤがＤＳＰ１５側からオーディオ出力増幅部１２に切り替え接続されるので、ＤＳＰ１５はその動作を停止し、さらにマイクロコンピュータ２０自身もその動作を停止する（スタンバイ状態）。
【００６１】
これによって、デジタル系（ＤＳＰ１５、マイクロコンピュータ２０）が熱暴走するのを防止することができ、ひいては、熱暴走に起因する動作不定／不能状態を回避することが可能となる。
【００６２】
一方、図４の処理フローに示したように、検出温度が上限温度（８４℃）を下回ったときは、マイクロコンピュータ２０は、スイッチ１３に対し、オーディオ信号ＡＤのＤＳＰ１５側への切り替え接続を行うよう制御し、ＤＳＰ１５に対しては、検出温度の低下に伴い音響効果をゼロから徐々に増大させるデジタル調整を行うよう制御している。
【００６３】
つまり、オーディオ信号ＡＤのオーディオ出力増幅部１２（アナログ系）からＤＳＰ１５（デジタル系）への切り替え接続が行われた後で音響効果をゼロから徐々に増大させるデジタル調整を行っているので、切り替え接続を行う直前と行った直後とで音響効果の変化は無い。これによって、ユーザに聴感上の違和感もしくは不快感を全く与えることなく、当該オーディオ信号ＡＤ（音声）の継続的な受聴が可能となる。
【００６４】
【発明の効果】
以上説明したように、本発明に係るオーディオ装置によれば、オーディオ信号に対し音響効果を付加するＤＳＰ等のデジタルデバイスの動作中の温度の上昇（又は低下）に伴い音響効果を徐々に低減（又は増大）させるデジタル調整を行い、その検出温度が所定の上限温度に達した時点でその音響効果がゼロとなるようにデジタル調整を行うと共に、その所定の上限温度を超えたときにオーディオ信号をアナログ系のオーディオ回路に切り替え接続することにより、ユーザは、聴感上の違和感もしくは不快感を全く覚えることなくオーディオ信号（音声）を継続して受聴することができ、その一方で、ＤＳＰ等のデジタルデバイスが熱暴走するのを防止することができる。
【図面の簡単な説明】
【図１】本発明の一実施形態に係るオーディオ装置の構成を概略的に示すブロック図である。
【図２】図１のオーディオ装置が行う音響効果に関連する機能（デジタル調整）を説明するための図である。
【図３】図１におけるマイクロコンピュータが行うＤＳＰのバイパスに係る処理（音響効果を徐々に低減させてゼロとし、デジタル系を停止する処理）の一例を示すフロー図である。
【図４】図１におけるマイクロコンピュータが行うＤＳＰの接続に係る処理（デジタル系を起動して、音響効果をゼロから徐々に増大させる処理）の一例を示すフロー図である。
【符号の説明】
１０…オーディオ装置、
１１…スピーカ、
１２…オーディオ出力増幅部、
１３…スイッチ（切替接続部）、
１５…ＤＳＰ（オーディオ出力デジタル処理部）、
１７…温度センサ、
２０…マイクロコンピュータ（制御部）、
ＡＤ…オーディオ信号、
ＣＳ１〜ＣＳ４…制御信号。
【図１】
0003980342.tif 000002
【図２】
0003980342.tif 000003
【図３】
0003980342.tif 000004
【図４】
0003980342.tif 000005